(57)【特許請求の範囲】
【請求項１】
軸方向に動くウエッジ部品と、固定端部の外周に斜めに開けた穴とを有し、該固定端部のウエッジ部品の保持面が、軸方向に動いて、前記穴から上昇して該固定端部を巻心の内面に固定するように配置されている巻取り用巻心の固定端部において、該固定端部は、前記ウエッジ部品の保持面の、該固定端部の外面に対して外側または内側への半径方向の動きが強制制御され、該強制制御が前記ウエッジ部品の軸方向の動きを介して生成されるように構成され、前記ウエッジ部品の長手軸と前記保持面との間の角度は、該固定端部の長手軸と前記穴の軸との間の角度と実質的に同じであることを特徴とする巻取り用巻心の固定端部。
【請求項２】
請求項１に記載の固定端部において、ウエッジ部品の固定端部内の部分は断面が丸くなっていることを特徴とする巻取り用巻心の固定端部。
【請求項３】
請求項１または２に記載の固定端部において、ウエッジ部品の保持面は幾何学的形状が平面になっていることを特徴とする巻取り用巻心の固定端部。
【請求項４】
請求項１ないし３のいずれかに記載の固定端部において、ウエッジ部品の保持面は幾何学的形状が丸くなっていることを特徴とする巻取り用巻心の固定端部。
【請求項５】
請求項１ないし４のいずれかに記載の固定端部において、前記ウエッジ部品の軸方向の動きは作動手段を介して行なわれることを特徴とする巻取り用巻心の固定端部。
【請求項６】
請求項１ないし４のいずれかに記載の固定端部において、前記ウエッジ部品の軸方向の動きは、該固定端部に対する巻心の軸方向への移動によって行なわれることを特徴とする巻取り用巻心の固定端部。
【請求項７】
請求項１ないし６のいずれかに記載の固定端部において、該固定端部は、固定手段の作動手段の作動によって動くフレーム部に対する前記ウエッジ部品の軸方向の動きが防止され、半径方向の動きが可能な装置を含むことを特徴とする巻取り用巻心の固定端部。
【請求項８】
請求項１ないし７のいずれかに記載の固定端部において、前記ウエッジ部品の軸方向の動きは、半径方向の動きと比べて相対的に大きいことを特徴とする巻取り用巻心の固定端部。
【発明の詳細な説明】
【０００１】
【産業上の利用分野】
本発明は、巻取りに用いる巻心用の固定端部に関するものであり、この固定端部は、軸方向に動くウエッジ部品と、固定端部の外周に斜めにあけた穴とを有し、この固定端部のウエッジ部品の保持面が、軸方向に動いて、この穴から上昇して巻心の内面にその保持端部をしっかり固定するように配置されている。
【０００２】
【従来の技術】
紙ウエブおよび他のウエブ状の材料の巻取りには、従来技術で周知のように、巻心が用いられ、これは固定端部を介して巻取り手段に取り付けられている。巻取り速度がますます速くなるため、巻心の固定手段またはそれと同等のものをますます高度な作動条件に適合させなければならない。固定端部の部品間へ繊維くずが侵入すると、固定端部が動かなくなって、その開放が困難になり、多大の時間を要するため、とくに問題になっている。
【０００３】
【発明が解決しようとする課題】
従来技術に関して、フィンランド特許明細書第６２  ５１０号を参照するが、これには、巻取りで用いる巻心用の固定端部が開示されている。上述の従来技術に公知の構成では、内部および外部ウエッジ部品が用いられ、これらを一緒に軸方向に動かして、巻心を定位置に位置決めできるようにしている。さらに、圧縮部の力が作用する方向における内部ウエッジ部品の軸方向の可動性が調節部品によって限定されている。
【０００４】
従来技術に関して、フィンランド特許出願第８６１５２８号を参照するが、これには、管状巻心、とくに紙ウエブまたはそれと同等の材料のウエブを支持する巻取り心を固定する手段が開示されている。これは、その手段の固定に関しては、トルクによって生ずる膨張をその手段の固定のために用い、解放する際の戻りは、スプリング作動である。これによって、その手段が固定位置に引っ掛かったままになるという問題が生じ得る。
【０００５】
従来技術に関してさらに、巻取り心の固定端部を開示している欧州特許明細書第０  ５３１  ２８５  号を参照するが、これには、固定部品の傾斜面を介して固定部品が固定され、この固定部品は、固定端部がストッパに当たる時、トルクによって生じる固定端部の傾斜面の拡張を利用している。固定端部の戻り部材としてはスプリングリターンが用いられている。
【０００６】
従来技術に関しては、さらにドイツ特許公報第３  ６４１  ２５５  号および第３  ６０１  ９１２  号を参照するが、その開示されている固定配列では、固定端部の解放位置への戻りが問題となり得る。
【０００７】
従来技術に関してさらに、ドイツ特許出願明細書第３  ５３３  ７３５  号を参照するが、これでは、様々な中間部品その他の空間が問題になると考えられ、上述の他の局面が確実な固定／解放を行なうのに問題を生じることがある。
【０００８】
上述のことから明らかになっているように、従来技術で公知の構成における具体的な問題は、いま、固定端部を解放位置に戻すことであるが、これはとくに、繊維のくずが固定端部の部品間に押し入り、これによって固定部材が拡張位置から元の位置へ戻らないことに起因している。
【０００９】
さらに従来技術の構成における問題は、複雑な構造の様々な部分の間の部品のトルクおよび生じ得る隙間によって発生することがあり、これは巻取り過程での巻心の揺れにさえつながることがある。
【００１０】
本発明はしたがって、上述の問題を解消する構成を提供することを目的とする。
【００１１】
本発明は、繊維くずによって固定端部の固定位置への固着が生じない構成を提供することを、より具体的な目的とする。
【００１２】
さらに本発明は、負荷力を基本構造において所望の点に向けることができ、これによって固定端部が負荷力で損傷しないようにする構成を提供することを目的とする。
【００１３】
本発明は、定位置に確実に挿出入可能な固定端部を提供することを更なる目的とする。
【００１４】
さらに本発明は、技術的に好ましい固定端部の製造方法を生みだすことを目的とする。
【００１５】
【課題を解決するための手段】
上述の目的と以下に開示される目的を達成するため、本発明の固定端部は、ウエッジ部品の保持面の、固定端部の外面に対して外側または内側への半径方向の動きが強制制御され、この強制制御がウエッジ部品の軸方向の動きを介して行なわれるように構成されていることを、主たる特徴とする。
【００１６】
【作用】
本発明によれば、巻取りに用いる巻心用の固定端部には、軸方向に動くウエッジ部品と、固定端部の外周に斜めに開いた穴とを有し、この固定端部のウエッジ部品の保持面が、軸方向に動いて、この穴から上昇して、巻心の内面に固定端部をしっかり固定するように配置されている。ウエッジ部品の保持面の、固定端部の外面に対して外側または内側への半径方向の動きは強制制御され、この強制制御は、ウエッジ部品の軸方向の動きを介して行なわれる。
【００１７】
【実施例】
次に添付図面を参照して本発明をより詳細に説明する。
【００１８】
図１ないし図４に示す本発明の実施例において、固定巻心１０のための手段２０は、傾斜面１２上に配置されたウエッジ部品１５を有している。ストッパ部品１３は巻心１０の軸方向の位置を限定している。ウエッジ部品１５は半径方向に動き、したがって巻心１０を保持面１５’  を介して定位置に固定し、その半径方向の動きは強制制御的にウエッジ部品１５の軸方向の動きによって生成される。このウエッジ部品１５の軸方向の動きは比較的大きく、約５から１５ｍｍである。このようにして、０．５  から２．０ｍｍ  までの半径方向の動きが生成される。図２に示すＴ型溝固定部１９によって、この半径方向の動きが可能になり、ウエッジ部品１５が軸方向に定位置に拘束される。本発明による手段では、トルクは、ウエッジ部品が固定端部２０のフレームに支持されているため、直接に基部構造へ伝えられ、これによって半径方向の力はフレームに直接に向かう。ウエッジ部品１５は、そこで作動手段へ、例えば板バネ２３へ固定されていて、作動手段２３が運動を起こすと、固定端部のすべての可動部品が動くようになっている。これにより、固定端部の保持位置における固着が回避される。
【００１９】
固定手段20の外面22上に斜めにあいている穴24からは、ウエッジ部品15の軸方向に動く保持面15’が上がって来て、固定端部をしっかりと巻心10に固定する。ウエッジ部品15の保持面15’の、固定端部20の外面に対して外側または内側への半径方向の動きは強制制御され、この強制制御はウエッジ部品15の軸方向の動きに基づいている。ウエッジ部品15の固定端部20内にある部分は断面が丸くなっている。ウエッジ部品15の保持面15’は、幾何学的形状が平坦に、または丸くなっていて、固定端部の半径の大きさであるか、またはその中間ぐらいの曲率半径である。ウエッジ部品15の保持面15’はウエッジ部品の軸線に対して傾斜している。その傾斜角α１は固定端部内にあいている穴の穴角α２と実質的に同じである。
【００２０】
図１に示すように、固定端部20の作動手段23、例えばディスクスプリングは、方向S1へ移動しながら、固定端部のフレーム部品31、32、33に取り付けられているウエッジ部品を軸方向に引っ張り、これによって断面が丸いウエッジ部品15は傾斜面12に沿って軸方向へ、かつ同時に半径方向へ動いて、ウエッジ部品15の保持面15’が半径方向に、固定端部20の外面に作られている穴24から出て上昇する。巻心20を解放するには、固定端部のフレーム部品31、32、33は、作動手段の動作の方向S1と反対の方向S2へ動き、これによってウエッジ部品は方向S2へ軸方向に移動し、そこで保持面15’は内部に向って移動して、巻心10をその位置から解放することができる。
【００２１】
図２に示すように、ウエッジ部品１５は、例えばＴ型溝固定部１９でフレーム部品３１に取り付けられている。さらに、当業者に既知の、あり継手などの他の固定装置がこの目的に役立つ。固定装置１９は、ウエッジ部品１５を軸方向の動きに拘束すると同時に、半径方向の動きを可能にしている。
【００２２】
図３は、巻心１０の中央部から見た固定端部２０を示すが、同図は、保持面１５’  とともに半径方向に外方に移動したウエッジ部品１５を示している。図４は、固定端部２０の外面を示すが、これには傾斜穴２４が見え、これらはウエッジ部品１５用に作られ、これらの穴からウエッジ部品１５の保持面１５’  が半径方向に外に向かって移動する。
【００２３】
図５、図６に示す実施例において、ウエッジ部品１５は別個の作動手段で動くのではなく、ウエッジ部品１５の拡張によって動く。すなわち、半径方向の動きは、固定端部２０に対して巻心１０の軸方向の移動で与えられる。この実施例は、巻心１０の端面が巻取り作業全体の過程で固定端部２０に対して同じ点になければならない場合は、適切ではない。
【００２４】
図５に示すように、固定端部２０のウエッジ部品１５は軸方向に移動すると同時に、その保持面１５’  の半径方向の動きを生じる。このウエッジ部品１５は管状部材３８に固定されている端部部品３７を有し、これは巻心１０の端面に対して支持されている。これによって、巻心１０が軸方向に動くと、ウエッジ部品１５が同様に軸方向に動き、したがって、保持面１５’  を半径方向に移動させる。スプリング部材３９の助けにより、ウエッジ部品１５はその元の位置に戻る。その他の部品に関しては、図５ないし７に示す実施例は図１ないし４に示すものと同じであり、同等の部品は同じ参照番号で示されている。
【００２５】
本発明は単にその好適な実施例の１つを参照して説明したが、本発明がその細部に狭く限定されることはない。
【００２６】
【発明の効果】
本発明の固定端部は強制制御され、この強制制御はウエッジ部品の軸方向の動きを基にしている。本発明の装置では、固定端部の外周に斜めにあけられた穴からは軸方向に動く丸いウエッジ部品の保持面が降りてきて、この保持面がその座部をしっかりと巻取り心の内面に固定する。さらに、固定端部の「拡張部」を作動手段に取り付けて、作動手段が動くと、座部のすべての作動部品が動くようにしている。これによって、座部の保持位置での固着が完全に防止される。
【００２７】
巻取りに用いられる巻心用の固定端部は、その固定端部の外周に斜めにあいた穴を有し、これを通ってウエッジ部品の軸方向に動く傾斜保持面が上昇して、固定端部を巻心の内面にしっかりと固定する。ウエッジ部品の保持面の、固定端部の外面に対して外側または内側への半径方向の動きは強制制御され、この強制制御はウエッジ部品の軸方向の動きを基にしている。ウエッジ部品の固定端部内にある部分は断面が丸くなっている。ウエッジ部品の保持面は、幾何学的形状が平坦か、または丸く、固定端部の半径の大きさか、またはそれらの間のどこかで丸くなっている。ウエッジ部品の保持面は軸方向に粗面化され、または溝付けをして、把持力を強化してある。
【００２８】
本発明の固定端部は作動の信頼性が高い。なぜならば、その中のウエッジ部品の軸方向の動きが半径方向の動きと比べて相対的に大きく、これによって、発生し得る繊維くずが、ウエッジ部品の動きとともにこれらの間から排出されるからである。
【００２９】
本発明の構成は設計が単純であり、これによって製造技術にコストがかからず、さらに作動に信頼性がある。
【００３０】
さらに、本発明の固定端部では、座部の軸受けを固定端部の内側に入れて、負荷力を受けるようにし、ウエッジがフレームに支持されると、その力を直接に基部構造へ伝えるようにすることができる。これによって半径方向の力を直接に固定端部のフレームに伝える。
【図面の簡単な説明】
【図１】本発明による固定端部の概略断面図である。
【図２】図１の方向Ｒから見た概略図である。
【図３】図１の方向Ｔから見た概略図である。
【図４】本発明の固定端部を外側から見た概略図である。
【図５】本発明の固定端部の第２の実施例の概略図である。
【図６】図５による固定端部を方向Ｔから見た図である。
【図７】図５の固定端部を外側から見た概略図である。
【符号の説明】
１０  巻心
１５  ウエッジ部品
１５’  保持面
２０  固定端部
２４  穴
【図１】
0003578836.tif 000002
【図２】
0003578836.tif 000003
【図３】
0003578836.tif 000004
【図４】
0003578836.tif 000005
【図６】
0003578836.tif 000006
【図５】
0003578836.tif 000007
【図７】
0003578836.tif 000008